(57)【特許請求の範囲】
【請求項１】
基部と、該基部上に設けられている本体とを含む空気清浄器において、前記本体は相対向する相互間に所定の隙間をもって前記基部上に立設している一対のカバー体を有し、前記本体には前記基部上で前記所定の隙間内に設置した電極ユニットと、前記所定の隙間内に挿抜可能に前記一対のカバー体間の上部から前記所定の隙間内に入り込んでいる集塵紙カセットとが設けられており、前記所定の隙間を構成する前記一対のカバー体間の少なくとも一部には、空気を入排するための入排出口が形成されていることを特徴とする空気清浄器。
【請求項２】
請求項１記載の空気清浄器において、前記集塵紙カセットは取手部と、前記空気を入排出するための入排出部材と、該入排出部材に取り付けた保護枠部と、該保護枠部に保持した面状の対向電極板と、該対向電極板に対向しかつ該保護枠部に着脱自在に装着した集塵紙とを有し、前記一対のカバー体間の上部に前記集塵紙カセットを収容して装着するための装着口が設けられており、前記入排出部材が前記装着口に位置していることを特徴とする空気清浄器。
【請求項３】
請求項１記載の空気清浄器において、前記基部には前記電極ユニットを走行させる走行レールと、該走行レールに対して垂直に設けたストッパー部とを設け、前記電極ユニットを前記走行レールに挿入することで前記電極ユニットの先端が前記ストッパー部を押し倒し、前記電極ユニットの一部に設けたへこみ部に前記保護枠部に設けた抜け止め突起が嵌合することにより、前記集塵紙カセットを前記本体から抜くよりも先に前記電極ユニットを抜くことを阻止する構成としたことを特徴とする空気清浄器。
【請求項４】
請求項１記載の空気清浄器において、前記一対のカバー体間における前記基部側の下部に挿入口が設けられ、前記電極ユニットは前記挿入口から前記本体に出し入れ可能にかつ前記挿入口に係合するつまみ部と、該つまみ部から延設した針電極ベース部と、該針電極ベース部に設けた針電極部と、該針電極ベース部から延設して該針電極部に直接指が触れるのを防止するガード部とを有していることを特徴とする空気清浄器。
【請求項５】
請求項４記載の空気清浄器において、つまみ部は、前記挿入口の互いに平行な一対の内縁面に対向しかつ互いに所定間隔をもって平行に対向している一対の板部を有し、該板部には、前記つまみ部が前記挿入口に挿入されている状態で前記挿入口から前記本体の内側へ斜め下方にせり出している傾斜辺が形成されおり、一対の前記板部の一方の外面には、前記挿入穴の一対の内縁面の一方に係止しかつ一対の前記板部を外側からつまむことによって前記挿入穴の一対の前記内縁面の一方から外れる突部が形成されていることを特徴とする空気清浄器。
【請求項６】
請求項１記載の空気清浄器において、前記集塵紙カセットは前記空気を入排するための入排出部材と、該入排出部材に取り付けた保護枠部と、該保護枠部に保持された面状の対向電極板と、該対向電極板に対向しかつ該保護枠部に着脱自在に装着した集塵紙とを有し、
前記保護枠部の一対の端部には、前記対向電極板の一対の側辺を係止した状態でロックしかつ前記対向電極板の側辺から引き離すことで前記ロックを解除する一対のロック部を有し、該ロック部が前記入排出部材の近傍に形成されていることを特徴とする空気清浄器。
【発明の詳細な説明】
【０００１】
【産業上の利用分野】
本発明は放電を利用した静電式の空気清浄器に係り、特に、マイナスイオンにした空気中の塵埃をクーロン力で引き寄せてイオン風で吸い込み、静電気により塵埃を吸着するというような「電子の力」を利用した空気清浄器に関するものである。
【０００２】
【従来の技術】
この種の静電気により塵埃を吸着する空気清浄器は、塵埃を吸着する集塵紙の交換あるいは針電極ユニットの針電極の掃除をする必要がある。このため、空気清浄器は分解することによって集塵紙の交換や針電極ユニットの針電極の取り外しをして掃除をするように構成されている。
【０００３】
従来の空気清浄器の例として３つのタイプを以下に説明する。図１０（ａ）〜図１０（ｄ）に示す空気清浄器は、外観形状が円筒状のタイプの空気清浄器である。このタイプの空気清浄器では円筒状の外カバー８１内に集塵紙８３が設けられている。
【０００４】
集塵紙８３を交換するには、図１０（ｂ）に示すように、本体８０から外カバー８１を上方に持ち上げて抜き取る。次に、図１０（ｃ）及び図１０（ｄ）に示すように、内側円状筒８５の外周に設けた電極８２の周囲に集塵紙８３を巻回し、集塵紙ラップ８４で固定する。その後、図１０（ａ）に示すように、再びカバー８１を内側円状筒に被せる。
【０００５】
次に、図１１（ａ）〜図１１（ｃ）に示した空気清浄器は、本体９２の前面に設けた前面カバー９１内に集塵紙９３を設けた卓上設置タイプである。このタイプの空気清浄器では、図１１（ｂ）に示すように、前面に設けた前面カバー９１を前方に引きながら本体９２外し、本体９２の内面に設けた集塵紙９３を交換し、再び前面カバー９１を本体９２の前面に装置するものである。
【０００６】
次に、図１２（ａ）〜図１２（ｃ）に示した空気清浄器は、本体１０１の前面に設けた前面カバー１０２内に集塵紙１０３を設けた壁掛けタイプのものである。このタイプの空気清浄器は、壁の掛止め金具１０３から外した後、本体１０１の前面に設けた前面カバー１０２を本体１０１から外して、本体１０１内の前面に設けた集塵紙１０３を交換し、再び前面カバー１０２を本体１０１の表面に設けて壁の掛止め金具１０３にセットするものである。
【０００７】
【発明が解決しようとする課題】
しかしながら、静電気により塵埃を吸着する空気清浄器は、集塵紙８３、９３、及び１０３の交換あるいは図１１（ｃ）に示した針電極ユニット９５の針電極の掃除をするのに、空気清浄器を分割しなければならない。
【０００８】
上記従来の空気清浄器は、いずれも集塵紙８３、９３、及び１０３を本体８０、９２及び１０１に直接取り付ける方式であり、その交換にあたっては、次の問題点がある。
【０００９】
（１）外カバー８１もしくは前面カバー９１及び１０２を外すという作業によって集塵紙８３、９３、及び１０３の交換あるいは針電極ユニット９５の針電極の掃除をするために作業が複雑になってしまう。
【００１０】
（２）集塵紙８３、９３、及び１０３を本体８０、９２及び１０１に直接取付けるので本体８０、９２及び１０１を立てたり横に寝かしたりが出来ず、一定の位置での集塵紙８３、９３、及び１０３の取付けとなってしまう。このため集塵紙８３、９３、及び１０３の取付が困難であり、十分な集塵が出来ない。
【００１１】
（３）空気清浄器の内部を開放することは回路が構成された電極に触れることになり安全対策にかかる設計や組み立てが複雑になってしまう。
【００１２】
（４）空気清浄器の内部構成が複雑になるため電極の掃除がしにくい。
【００１３】
それ故に本発明の課題は、空気清浄器を分解することなく、集塵紙の交換あるいは針電極ユニットの掃除が出来る空気清浄器を提供することにある。
【００１４】
【課題を解決するための手段】
本発明によれば、基部と、該基部上に設けられている本体とを含む空気清浄器において、前記本体は相対向する相互間に所定の隙間をもって前記基部上に立設している一対のカバー体を有し、前記本体には前記基部上で前記所定の隙間内に設置した電極ユニットと、前記所定の隙間内に挿抜可能に前記一対のカバー体間の上部から前記所定の隙間内に入り込んでいる集塵紙カセットとが設けられており、前記所定の隙間を構成する前記一対のカバー体間の少なくとも一部には、空気を入排するための入排出口が形成されていることを特徴とする空気清浄器が得られる。
【００１５】
また、本発明によれば、前記集塵紙カセットは取手部と、前記空気を入排出するための入排出部材と、該入排出部材に取り付けた保護枠部と、該保護枠部に保持した面状の対向電極板と、該対向電極板に対向しかつ該保護枠部に着脱自在に装着した集塵紙とを有し、前記一対のカバー体間の上部に前記集塵紙カセットを収容して装着するための装着口が設けられており、前記入排出部材が前記装着口に位置していることを特徴とする空気清浄器が得られる。
【００１６】
【作用】
本発明に係る空気清浄器は次の様に使用する。集塵紙カセットは集塵紙カセットの取手部に手をかけて集塵紙カセットを上方に引き上て集塵紙カセットを本体から抜く。抜かれた部分からは手は入らずまた集塵紙カセットの先端に設けたメイン電源スイッチをＯＮ用突起がＯＦＦするので針電極部にも、集塵紙カセットにも電源が印加されない。
【００１７】
次に本体に沿って挿入している電極ユニットを電極ユニットのつまみ部を摘んで本体から抜きとり針電極部が汚されていないかを確認し汚れていれば綿棒等で手入れをし、再び本体に挿入しカチット音がするまで挿入する。
【００１８】
一方で集塵紙カセットは保護枠部に延設した一対のロック部を対向電極板から引き離すことにより対向電極板を回動可能状態にして広げる。この状態で保護枠部と対向電極板間に集塵紙（ペーパータオル）を挟み込んで再び保護枠部に対向電極板を回動して合わせロック部で再び対向電極板をロックして集塵紙カセットへの集塵紙の取付けが完了する。集塵紙カセットを再び上面の狭面部からＯＮ用突起がメイン電源スイッチをＯＮするまで押入すると押入が完了する。
【００１９】
そしてメイン電源スイッチをＯＮすることで対向電極板を０Ｖとして針電極に−７０００Ｖ印加を開始する。
【００２０】
【実施例】
図１は本発明の空気清浄器の一実施例における外観を示している。図２は図１に示した空気清浄器を分解した状態を示している。以下に、図１及び図２を参照して空気清浄器は、基部２０と、相対向する相互間に所定の隙間をもって基部２０上に立設している一対のカバー体１ａ，１ｂと、一対のカバー体１ａ，１ｂ間の所定の隙間内で基部２０上に設置した電極ユニット１２と、所定の隙間内に挿抜可能に一対のカバー体１ａ，１ｂ間の上部から所定の隙間内に入り込んでいる集塵紙カセット５とを有している。なお、図２には、一対のカバー体１ａ，１ｂを空気清浄器の本体３０として示した。また、図１に示したように、所定の隙間を構成する一対のカバー体１ａ，１ｂ間の一部には、空気を入排出するための入排出口２ａが形成されている（入排出口２ａの詳細については後述する）。
【００２１】
一方のカバー体１ａは、基部２０上に立設されて横断面が略湾曲面形状に形成されている主面部１ｆと、主面部１ｆの上端に横方向に平行に設けられている上面部２ｆとによって構成されている。他方のカバー体１ｂは、一方のカバー体１ａと略同じ形状となっていることから、一方のカバー体１ａの主面部１ｆ及び上面部２ｆと同じ符号を付して説明を省略する。
【００２２】
基部２０には一対の柵３が立設されている。柵３には、前述したように空気を入排出するための入排出口２ａが形成されている。一対の柵３はカバー体１ａ，１ｂの所定の隙間内に狭まれるように設けられている部分である。一対のカバー体１ａ，１ｂは縦方向に立設されている一対の柵３を挟んでネジ止めされている。一対の柵３の内面には長手方向、即ち立設方向に溝４が形成されている。柵３に設けた溝４には集塵紙カセット５の保護枠部６が押し入れられると、集塵紙カセット５がセットされる。このように空気清浄器の外郭形状を構成することで、狭いスペースに押し入れることが出来る。また、一対のカバー体１ａ，１ｂの主面部１ｆは、ディスプレーを施すことも可能である。
【００２３】
次に図３をも参照して集塵紙カセット５の構造を説明する。集塵紙カセット５は保護枠部６と、空気を入排出することが可能な入排出部材７と、保護枠部６に保持した面状の対向電極板１３とを含む。入排出部材７には、前述したように空気を入排出するための入排出口２ａが形成されている。保護枠部６にはその平面部分に複数の大きな穴６ａが設けられている。これらの大きな穴６ａと対向電極板１３との間には、図２に示したように、集塵紙（ペーパータオル）１８が設けられる。さらに、集塵紙カセット５は入排出部材７に取手部７ａが形成されている。集塵紙１８は、取手部７ａが形成されている入排出部材７と保護枠部６との内側で、対向電極板１３に対向して位置しており、着脱自在に装着されている。
【００２４】
一対のカバー体１ａ，１ｂ間の上部は、図２に示したように、集塵紙カセット５を装着するための装着口２１を有している。装着口２１は、集塵紙カセット５が装着された際に、入排出部材７によって塞がれる。入排出部材７から延設した保護枠部６には、図示しない消臭フィルター、芳香剤などをセットするための装着部１４（図３を参照）が入排出部材７側に並設されている大きな穴６ａのそれぞれに橋渡されて設けられている。
【００２５】
さらに、この集塵紙カセット５には安全装置として入排出部材７の反対側の縁部分から突出し、メイン電源スイッチをＯＮするためのＯＮ用突起１５と、保護枠部６の表面から垂直に延びている抜止突起１６とが設けられている。抜止突起１６は、電極ユニット１２の抜け防止を行うための部分である。ＯＮ用突起１５は集塵紙カセット５が本体３０内に入っていないときはメイン電源スイッチが入らないようにするものである。即ち、集塵紙カセット５を装着口２１から差し込み、押圧でメイン電源スイッチをＯＮ，ＯＦＦできる安全構造を採用いている。
【００２６】
図４には、図３の集塵紙カセット５を裏返して見た状態を示している。図４に示すように、入排出部材７の近傍へ延びている保護枠部６の一対の端部には、対向電極板１３を係止することによりロックする一対のロック部（図４における逆Ｌ字状の部分）６ｂが形成されている。一対のロック部６ｂは、対向電極板１３の側辺から引き離すことで対向電極板１３が回動自在となる。
【００２７】
即ち、集塵紙カセット１５の保護枠部６には、その裏面に回動自在に対向電極板１３が設けられている。その対向電極板１３が保護枠部６の一部から延設した一対のロック部６ｂにより保護枠部６に引き付けられてロックされている。さらに集塵紙を装着したり交換するときに一対のロック部６ｂを引き離して対向電極板１３を保護枠部６から回動して浮かせる。こときは、一対のロック部６ｂが入排出部材７の長手方向の両端に形成されている一対のストッパー片７ｂのそれぞれに当たることにより、それ以上開かない構造としている。
【００２８】
次に、図２及び図５（ａ），図５（ｂ）及び図５（ｃ）を参照して電極ユニット１２の構造を説明する。電極ユニット１２には基部２０側で柵３の下部に形成されている挿入口８に出し入れ可能に電極ユニット１２の長手方向の一端側に形成されているつまみ部１２ａと、つまみ部１２ａから他端側へ延設されている針電極ベース部１２ｂと、針電極ベース部１２ｂに設けられている針電極部１２ｃと、針電極部１２ｃに直接指が触れるのを防止するように針電極ベース部１２ｂから延設しているガード部１２ｄとを有している。
【００２９】
なお、図２及び図５（ｃ）に図示した符号１２ｆは、図３に示した保護枠部６の抜止突起１６が入り込むへこみ部である。へこみ部１２ｆは、電極ユニット１２の長手方向の他端の近傍に形成されている。つまみ部１２ａは、挿入口８の互いに平行な一対の内縁面８ｃ，８ｄに対しかつ互いに所定間隔をもって平行に対向している一対の板部１２ｈを有している。一対の板部１２ｈは、つまみ部１２ａが挿入口８に挿入されている状態で挿入口８から柵３の内側へ斜め下方にせり出している傾斜辺１２ｅが形成されていることにより図５（ａ）及び図５（ｂ）の上面から見ると断面略コの字形に形成されている。つまみ部１２ａの一対の板部１２ｈのうちの一方の外面には、突部１２ｊが形成されている。突部１２ｊは、挿入穴８の一方側の内縁面８ｃに係止している。つまみ部１２ａは一対の板部を外側からつまむことによって突部１２ｊを本体３０の柵３の一部に設けた挿入穴８の一方側の内縁面８ｃから外す構造としている。つまみ部１２ａは一対の板部１２ｈ間に隙間があることから本体３０の内外への空気の流入出が可能な空気通路となっている。
【００３０】
対向電極板１３の材質は、例えばステンレスを用い、厚さ：０．３ｍｍである。対向電極板１３はリン青銅厚さ０．１ｍｍである。対向電極板１３は基部２０に設けられている接点板２２に接触する位置まで押し入れられる。このとき、集塵紙カセット５の入排出部材７は装着口２１に位置する。
【００３１】
また、針電極部１２ｃはリン青銅厚さ０．１ｍｍである。針電極部１２ｃは、図２、図６（ａ）及び図６（ｂ）に示すように、柵３の一部に設けた挿入口８から押し入れられて、図２に示した基部２０の上面に設けられているレール９ａ上をその走行レール９の一部に設けた接点板１０に針電極部１２ｃが接触するまでスライドする。
【００３２】
挿入口８から押し入れられる電極ユニット１２の挿入方向の先端は、走行レール９上に垂直な方向に設けたバネ１１を押した位置でつまみ部１２ａが挿入穴８にロックされて固定される様になっている。
【００３３】
さらに集塵紙カセット５が本体３０に挿入されているとき、電極ユニット１２は抜止突起１６が電極ユニット１２の針電極部１２ｃのへこみ部１２ｆ内にくい込み電極ユニット１２が抜けない様になっている。
【００３４】
なお、電極ユニット１２が押し入れられていないときは、バネ１１が直立に立っており、このバネ１１の先端が集塵紙カセット５の挿入を阻止するので対向電極板１３と接点板２２とが接しないように構成されており安全性を有する構成となっている。
【００３５】
次に、図６（ａ）及び図６（ｂ）によってバネ１１の取付構造を示す。基部２０には電極ユニット１２を走行させる走行レール９と、走行レール９に対して垂直に設けたバネ１１のストッパー部１１ａとを設け、電極ユニット１２をレール９ａに挿入することで電極ユニット１２の先端がバネ１１を押し倒し、図２及び図５（ｃ）に示した針電極部１２ｃの一部に設けられているへこみ部１２ｆに集塵紙カセット５の抜止突起１６が嵌合することにより、集塵紙カセット５を電極ユニット１２を先に抜かないと電極ユニット１２が抜けないようにしている。また、回路部品を集塵からまもるための基部２０の一部にスリットを有する溝部１７を設けている。溝部１７にはバネ１１の巻き方向の相反する方向にバネ１１の端部を設け、一端をスリットに入れ他端を基部２０の上方向で垂直に向けてバネ１１を、レール９ａを設けたレールカバー体２５によって覆っている。
【００３６】
この状態でレール９ａ上に電極ユニット１２があると電極ユニット１２の先端でバネ１１の他端を押し倒し集塵紙カセット５の本体３０への押入を可能としメイン電源スイッチをＯＮするものである。
【００３７】
一方、レール９上に電極ユニット１２がないとバネ１１の他端が立った状態になり集塵紙カセット５の本体３０への押し入れを不可能としメイン電源スイッチをＯＦＦするものである。
【００３８】
図７には、上記した電極ユニット１２が図２に示した接点板１０と接触する接触部分Ａの構造を示している。
【００３９】
次に、図８（ａ）〜図８（ｃ）によって空気清浄器の取り扱い作業を示す。図９には空気清浄器の回路図を示している。空気清浄器は次の様に使用する。図８（ａ）に示すように、集塵紙カセット５の取手部７ａに設けている小穴に手をかけて集塵紙カセット５を上方に引き上げる。これにより集塵紙カセット５は本体３０から抜くことができる。このとき、装着口２１は狭い部分であるため、装着口２１からは手が入らず、また集塵紙カセット５の先端に設けたＯＮ用突起１５がメイン電源スイッチ（例えば、マイクロスイッチ）２７をＯＦＦするので針電極部１２ｃにも、集塵紙カセット５にも電源が印加されない。
【００４０】
次に、図８（ｂ）に示すように、挿入口８に挿入されている電極ユニット１２を、つまみ部１２ａを摘んで本体３０から抜きとり針電極部１２ｃが汚されていないかを確認し汚れていれば綿棒等で手入れをし、図８（ｃ）に示すように、再び挿入口８に挿入しカチット音がするまで挿入する。
【００４１】
集塵紙カセット５は保護枠部６に延設した一対のロック部６ｂを対向電極板１３から引き離すことにより、図８（ｂ）に示すように、対向電極板１３を回動可能状態にして広げる。その状態で保護枠部６と対向電極板１３との間に集塵紙１８を挟み込んで再び保護枠部６に対向電極板１３を回動して合わせロック部６ｂで再び対向電極板１３をロックして集塵紙カセット５への集塵紙１８の取付けが完了する。その後、図８（ｃ）に示すように、集塵紙カセット５を再び装着口２１からＯＮ用突起１５がメイン電源スイッチ２７をＯＮするまで押し入れることにより挿入が完了する。
【００４２】
次にメイン電源スイッチ２７をＯＮすることで対向電極板１３を零ボルトとして針電極に−７０００ボルト印加を開始する。
【００４３】
【発明の効果】
本発明の空気清浄器によると、装着口から集塵紙カセットを挿抜できるため、集塵紙を交換するにあたり本体を分解したりカバーを取りすことがなくなため集塵紙の交換が簡単であり、回路形成した充電電極が露出することがなく安全性が向上する。
【００４４】
また、本発明に係る空気清浄器は、一対のカバー体を相対するように組合せて構成するため、空気の流れを一対のカバー体の所定の隙間から取り込んで上方に出すことができるためイオン風が安定し、特に、壁際に設置した場合効力を発揮する。
【００４５】
また、に集塵紙を集塵紙カセットに装着し、装着口から集塵紙カセットを押入出することができるため、安全性にすぐれている。
【００４６】
さらに、集塵紙カセットは一方を空気の入排出面兼取手としてそれに延設して略四角形の保護枠部みを形成し、空気の入排出面兼取手の対辺には、回動自在になる対向電極板を設け、保護枠部と対向電極板との間に集塵紙を挟み込むため、メンテナンスが容易となる。
【００４７】
対向電極板と保護枠部とのロックについては、対向電極板の一部が保護枠部の一部に延設した一対のロック部で対向電極板を保護枠部に引きつけ、かつロック部を対向電極板から引き離すことで対向電極板の回動が自在となる。また、ロック部は保護枠部に延設したストッパー部で一定以上開かないため、簡単な構造で対向電極板と保護枠部との間に集塵紙をはさんで固定することが出来る構造が得られる。
【００４８】
さらには、集塵紙カセットを抜かないこと電極ユニットが抜けず、また、電極ユニットを抜くと集塵紙カセットが入いらないとすることができる。
【００４９】
さらに、集塵紙カセット、電極ユニットの取手部が空気の入排出部材を閉じない構造とすることができる。
【図面の簡単な説明】
【図１】本発明の空気清浄器の一実施例を示す外観斜視図である。
【図２】図１の空気清浄器の分解斜視図である。
【図３】図２の集塵紙カセットの全体斜視図である。
【図４】図３の集塵紙カセットを裏面より見た状態と一部を拡大して示した斜視図である。
【図５】（ａ）は図２の電極ユニットと柵との係合構造を示す斜視図、（ｂ）は図２の電極ユニットと柵との係合構造を示す平面図、（ｃ）は図２の電極ユニットと柵との係合構造を示す側面図である。
【図６】（ａ）は図２の電極ユニットと基部に設けたバネとの構造を示す斜視図、（ｂ）は（ａ）の電極ユニットと基部とを示す断面図である。
【図７】図２の電極ユニットの斜視図である。
【図８】（ａ）は図２の斜視図、（ｂ）は図２の集塵紙カセットの斜視図、（ｃ）は図２の斜視図である。
【図９】図１の空気清浄器に用いる回路構成を示す回路図である。
【図１０】（ａ）は従来の空気清浄器の外観斜視図、（ｂ）は外カバーを本体から取り外す状態を示す斜視図、（ｃ）は集塵紙の交換するときの状態を示す斜視図、（ｄ）は本体の外観を示す斜視図である。
【図１１】（ａ）は従来の空気清浄器の他の例を示す外観斜視図、（ｂ）は前面カバーの取り外し状態を示す斜視図、（ｃ）は前面カバーを取り外した状態の斜視図である。
【図１２】（ａ）は従来の他の例を示す空気清浄器の外観斜視図、（ｂ）は前面カバーの取り外し状態を示す斜視図、（ｃ）は前面カバーを取り外した状態の斜視図である。
【符号の説明】
１ａ，１ｂ    カバー体
１ｆ    主面部
２ａ    入排出口
２ｆ    上面部
３    柵
５    集塵紙カセット
６    保護枠部
６ｂ    ロック部
７    入排出部材
７ｂ    ストッパー片
８    挿入口
８ｃ    内縁面
９    走行レール
１１    バネ
１２    電極ユニット
１２ａ    つまみ部
１２ｂ    針電極ベース部
１２ｃ    針電極部
１２ｅ    傾斜辺
１２ｆ    へこみ部
１２ｊ    突部
１２ｈ    板部
１３    対向電極板
１４    装着部
１８、８３、９３    集塵紙
２０    基部
２１    装着口
３０，８０、９２、１０１ 本体
８１    外カバー
９１、１０２    前面カバー
【図１】
0003613607.tif 000002
【図２】
0003613607.tif 000003
【図３】
0003613607.tif 000004
【図４】
0003613607.tif 000005
【図５】
0003613607.tif 000006
【図６】
0003613607.tif 000007
【図７】
0003613607.tif 000008
【図８】
0003613607.tif 000009
【図９】
0003613607.tif 000010
【図１０】
0003613607.tif 000011
【図１１】
0003613607.tif 000012
【図１２】
0003613607.tif 000013